(57)【要約】【課題】屈曲に関する優れた機械耐久特性を有することが好ましいマルチコンポーネントオブジェクトの、実用的かつ簡易的な製造を可能とする、多機能モジュールおよびそれを含むデバイスの製造方法を提供する。【解決手段】多機能デバイスの製造方法に関して、積層された少なくとも一つの基板上に配置され、電気／電子コンポーネント（Ｃ１０、Ｃ２０）を備える多層構造を有するモジュール（１）を作製するステップを含み、コンポーネントはそれぞれが外部に露出した主要表面（Ｆ１、Ｆ２）を備え、各主要表面（Ｆ１、Ｆ２）が相互に反対方向に配向されるよう配置される。【選択図】図１
2013528299.tif 000002
【特許請求の範囲】
【請求項１】
モジュールを備える、又はモジュールを形成する多機能デバイスの製造方法において、
積層された少なくとも一つの基板上に配置され、共に接続された電気／電子コンポーネント（Ｃ１０、Ｃ２０）を備える多層構造を有するモジュール（１）を作製するステップを含み、
前記コンポーネントはそれぞれが外部に露出した主要表面（Ｆ１、Ｆ２）を備え、
各主要表面（Ｆ１、Ｆ２）が相互に反対方向に配向されるよう配置されることを特徴とする方法。
【請求項２】
請求項１に記載の方法において、
前記コンポーネントは基板の二つの反対表面に配置することを特徴とする方法。
【請求項３】
請求項１に記載の方法において、
前記コンポーネントは二重に折りたたまれた基板の同一表面上に配置することを特徴とする方法。
【請求項４】
請求項１に記載の方法において、
前記コンポーネントは、背中合わせに取り付けられることとなる、異なる基板上にそれぞれ配置することを特徴とする方法。
【請求項５】
請求項１乃至４のいずれかに記載の方法において、
前記デバイスの本体（１２）の中に、前記モジュール（１）を挿入するステップを備え、
前記挿入は、前記デバイス本体の主要表面（１０）上に露出する開口（８）を通じてなされ、さらに
前記挿入は、ユーザと直接的、視覚的又は触覚的に相互作用するために、前記モジュールのコンポーネント（Ｃ１０、Ｃ２０）が前記本体の各反対表面（１０、１１）上にさらされる、もしくは露出するように、前記本体に配置される凹部（１４）に導くように行なわれることを特徴とする方法。
【請求項６】
請求項１乃至５に記載の方法において、
凹部（１４）は前記デバイスの前記本体（１２）の各反対主要表面（１０、１１）上に露出することを特徴とする方法。
【請求項７】
モジュール（１）を備える、又はモジュールを形成する多機能デバイスであって、
積層された少なくとも一つの基板上に配置される、共に接続された電気／電子コンポーネント（Ｃ１０、Ｃ２０）を備える多層構造を有し、
前記コンポーネントは、外部に露出した主要表面（Ｆ１、Ｆ２）をそれぞれ備え、
ユーザと直接的、視覚的、又は触覚的に相互作用するために、各主要表面（Ｆ１、Ｆ２）が相互に反対方向に配向されるよう配置されることを特徴とする多機能デバイス。
【請求項８】
請求項７に記載のデバイスにおいて、
前記コンポーネントは、基板において二つの反対表面に配置することを特徴とするデバイス。
【請求項９】
請求項７に記載のデバイスにおいて、
前記コンポーネントは、二重に折りたたまれた基板の同一表面上に配置することを特徴とするデバイス。
【請求項１０】
請求項７乃至９に記載のデバイスにおいて、
前記コンポーネントは、背中合わせに取り付けられることとなる異なる基板上にそれぞれ配置することを特徴とするデバイス。
【請求項１１】
請求項７乃至１０のいずれかに記載のデバイスにおいて、
ユーザと直接的、視覚的、又は触覚的に相互作用するために、前記モジュールのコンポーネント（Ｃ１０、Ｃ２０）が前記本体の各反対表面（１０、１１）上にさらされる、もしくは露出するように、前記本体の中に配置される凹部（１４）を備える本体（１２）を有することを特徴とするデバイス。
【請求項１２】
請求項１１に記載のデバイスにおいて、
前記凹部（１４）は前記デバイスの前記本体（１２）の各反対表面（１０、１１）上における、開口上に露出することを特徴とするデバイス。
【請求項１３】
請求項７乃至１０に記載のデバイスにおいて、
前記開口（８、９）は異なる幅を有することを特徴とするデバイス。
【発明の詳細な説明】
【技術分野】
【０００１】
本発明は、多機能モジュールおよびそれを含むデバイスの製造方法に係り、例えばＩＣカード、パスポート、および薄い電子挿入物のような全ての形態において、マルチコンポーネントタイプのスマートオブジェクトの製造方法に関する。
好ましい実施形態によれば、本発明は特に集積化表示装置を有するモジュール、およびそれを含むデバイスに関する。
特に、屈曲に関する優れた機械耐久特性を有することが好ましいマルチコンポーネントオブジェクトの実用的かつ簡易的な製造を可能とすることを目的とする。
【背景技術】
【０００２】
最近のマルチコンポーネントカード、特にバッテリ、マイクロコントローラ、ディスプレイを備えるカードは、プリント回路の形で刻印された相互接続トラックを含む挿入物を必要とする。コンポーネントはその際、必要であれば、溶接するか、もしくは導電接着剤を用いることによって、設置され、また接続される。その支えとなるもの（カード等）はより固いという点、およびその方法がより高価である点において欠点を有する。
【発明の概要】
【発明が解決しようとする課題】
【０００３】
本発明は、上記の欠点を改善することを目的とする。
【課題を解決するための手段】
【０００４】
本発明の目的は、以下のステップを含む多機能デバイスの製造方法を提供することにより達せられ解決される。
積層された少なくとも一つの基板上に配置され、共に接続された電気／電子コンポーネントを備える多層構造を有するモジュールを作製する。また、コンポーネントはそれぞれが外部に露出した主要表面を備える。
【０００５】
本発明の方法では、コンポーネントは特に各主要表面が相互に反対方向に配向されるように配置される。
接続によって通信もしくは供給が可能となり、かつ接続はあらゆるタイプすなわち電気的もしくは非接触的のいずれか（キャパシタ、電磁的、又は光学的カップリング等）であってもよい。
【０００６】
本発明の方法の他の特徴は、
コンポーネントは基板の２つの反対表面上に配置され、コンポーネントは二重に折りたたまれた基板の同一表面上に配置され、コンポーネントは背中合わせに取り付けられることとなる、異なる基板上にそれぞれ配置され、デバイスの本体の中に、モジュールを挿入するステップを備え、挿入はデバイス本体の主要表面上に露出する開口を通じてなされ、さらに挿入は、ユーザと直接的、視覚的、又は触覚的に相互作用するために、モジュールのコンポーネントが前記本体の各反対表面上にさらされる、もしくは露出するように、本体に配置される凹所に導くように行なわれる。
【０００７】
本発明の他の目的は、上記方法に対応するデバイスもしくは上記の方法によって得られるデバイスを提供することにより達せられ解決される。
特に、１つの操作において１つのモジュールを挿入するだけでディスプレイおよび／又は、スイッチおよび／又は、生体機能を備える多機能デバイスを製造することを可能とするため、上記の方法は従来技術に対して有利である。
【０００８】
本発明の他の特徴および利点は、実施態様および非限定的な実施例、および添付の図面に関する以下の詳細により明らかとなる。
【図面の簡単な説明】
【０００９】
【図１】本発明の一実施形態に係る多機能デバイスの概略図を示す。
【図２】本発明のモジュールをチップカード本体に挿入する操作を表す説明図を示す。
【発明を実施するための形態】
【００１０】
本発明の一実施形態によれば、図１は積層された基板上に配置する電気／電子コンポーネントを含む多機能もしくは多層構造のモジュール又はデバイスを示す。
一実施例では、まず始めにモジュールは、基板２上および同一面上に少なくとも２つの異なるコンポーネントＣ１０、Ｃ２０を含む。
各コンポーネントはモジュールの外側に露出した主要表面Ｆ１、Ｆ２を有する。
【００１１】
基板は、好ましくは、少なくとも大気の温度（２３℃）で損傷されることなく折りたたまれるように柔軟であり、および／または薄い。
好ましくは、エッチングもしくはワイヤ又はその他の相互接続手段によって、なされる少なくとも１つの相互接続トラックによってコンポーネントは相互接続される。
マルチコンポーネントはディスプレイＣ１０、および指紋認証感知装置Ｃ２０を含む。
代替的に、そのようなコンポーネントは電気的接触もしくはアンテナＣ２１、センサＣ２２、１つ又はそれ以上のキーＣ２３、もしくは図示されていない他のコンポーネントを備えるインターフェースのような電気／電子コンポーネントのいずれかによって置き換えられてもよい。
【００１２】
デバイスは、好ましくは少なくとも１つのコンポーネントを駆動するためにＩＣチップのようなマイクロコントローラ４を含む。
デバイスは、抵抗、キャパシタなどのような受動コンポーネント５を含んでもよい。
実施例では、コンポーネントは全て基板の同一面上に配置される。
しかし、それらは基板の２つの反対面上に分けて配置されてもよい。
【００１３】
デバイスは、スクリーンの下の基板とスクリーンとの間に配置されている小さな表面を有する薄い、柔軟なもしくは固いバッテリ６を含んでもよい。
スクリーンはＯＬＥＤ、電気泳動、エレクトロクロミック技術、又は薄いディスプレイを製造することを可能とするタイプの技術を用いて作られてもよい。
上記提供される方法は、必ずしも高い温度を用いなくてもよいので、スクリーン技術の範囲は挿入物を備えるカードを製造するために、従来の高い温度での積層方法より広くてもよいということは明記すべきであろう。
【００１４】
コンポーネントとはここで電気的、電子的又は電気機械的回路要素を意味する。
場合によっては、電気コンポーネントの接続として単純な接触を考慮してもよい。
本発明の一つの特徴によれば、コンポーネントは各主要表面Ｆ１、Ｆ２が相互に反対方向に配向するよう配置される。
【００１５】
実施例の一実施形態によれば図２では、モジュール１が二重に折りたたまれており、実施例では背面同士が向かい合うように折りたたまれている。必要であれば、接着剤が折りたたまれた配置でモジュールを保持するために背面（コンポーネントを支える前面の反対）に配置される。
例えば、スクリーンＣ１０は表面積が３０乃至４５ｍｍ２であり、ＩＳＯ７８１６標準に従ったモジュールの表面に対応するコンポーネントＣ２０は実質的にスクリーン表面の３分の１である。
【００１６】
折りたたまれた構成において、モジュールはよりコンパクトである。折りたたむことによりモジュールの２つの反対表面上にコンポーネントを有することを可能とする。
折りたたまれていない構成は、あらゆるコンポーネントの配置および接続をより容易にする。
代替的に、コンポーネントＣ１０を運搬する主要表面に関して、基板の背面上のコンポーネントＣ２０、５は基板７の背面上に固定してもよい。
【００１７】
また代替的に、そのようなコンポーネントは例えば背中合わせ（背面に対する背面）に取り付けられる２つの異なるモジュールとして、フレキシブル基板２とは異なる基板の一部に分けて配置してもよい。
相互接続が必要なら、周知の手段、より具体的には導電接着剤、異方性導電フィルム（ＡＣＦ）、熱圧縮、超音波溶接のいずれかによってなされる。
モジュールは、２つの主要表面上にトラックもしくは接続又は、基板を貫通する導電ビアを備える。
【００１８】
積層基板上に配置された、電気／電子コンポーネントを備える多層構造を有するモジュールは上述のように製造されるが、好ましくは、現在「３ＤＳｉＰ」と呼ばれている３Ｄ技術を使用して電気コンポーネントを取り付けるのがよい。
そうすれば、モジュールはチップカード技術と同様に、カード本体の中に配置される。
カード本体は相互に反対向きの二つの主要表面１０、１１を有する。また、表面又は平面１０上に露出する第一開口８、および表面又は平面１１上に露出する第二開口９を含む。第一開口８と第二開口９とは、凹所１４を共有する。
開口８，９は異なる断面又は範囲を有し、表面上に露出し、表面上に目に見えるコンポーネントＣ１０、Ｃ２０の表面に対応している。
【００１９】
凹所１４は折りたたまれたときのモジュール１の大きさに合うような寸法に構成される。開口９はモジュールが凹所に適合する際、モジュールの背面（ここでは、スクリーンの下）上に配置するコンポーネント２０を露出させるような寸法に構成される。
凹所にはモジュールを詰め込み接着させるために、１つ又はそれ以上の支持平面Ｐ１、Ｐ２、Ｐ３が設けられる。
【００２０】
そして、平面上に微量の接着剤１３が分散されて配置される。
接着剤は、固体の感圧粘着剤もしくは感熱接着剤であってもよい。
好ましくは、一番広い表面を有するコンポーネントＣ１０は本体の表面上で目に見え、利用しやすいように作られ、コンポーネントＣ１０よりも小さな表面を有する少なくとも１つのコンポーネントＣ２０は本体のその反対面上にあって目に見え、利用しやすいよう作られる。
【００２１】
モジュールはチップカードモジュールのように、通常カード本体上に配置するか、もしくはカード本体中に挿入される。
必要であれば透明なカバーシート、もしくはコンポーネントＣ１０、Ｃ２０上に少なくとも１つの開口を設けて、そのデバイスは完成する。
ある実施形態では、凹所は貫通する開口ではなく、その凹所の底を透明としてもよい。
本実施形態では、モジュールはディスプレイを底部（図２の矢印方向）に配置し、凹部の底から見えるように構成してもよい。
【００２２】
デバイスは必要なら無線周波アンテナを含んでもよい。デバイスはモジュールおよび／又はカード本体の中にあってもよい。アンテナは二枚のカードを接触又は非接触で接続するように設けられている。
例えば、カード本体のアンテナは本体中で凹所に達し、カード本体の表面の１つ又はそれ以上の開口からアクセス可能な接続末端部を有し、凹所内のモジュール上に配置されている超小型回路を接続することができる。
【００２３】
銀行支払い、ポイントのデビット／クレジット、ユニット、ローヤリティポイント、アクセス制限、認証等の操作のような電子商取引を実行するために、チップはその中に蓄積された少なくとも１つのソフトウェアアプリケーションを実装してもよい。
アプリケーションは、リーダ、無線周波端末又は無線周波ＮＦＣ（Ｎｅａｒ  Ｆｉｅｌｄ  Ｃｏｍｍｕｎｉｃａｔｉｏｎ）のタイプの電気的チップや機能を含む本願発明と同一のタイプの他のデバイスと相互作用を行うように実装してもよい。
デバイスはそれ自体がＮＦＣ機能を実行できるようにしてもよい。
【００２４】
デバイスはまた識別書類、電子パスポート、もしくはそれらに含まれるものであってもよい。
ディスプレイを用いた好ましいアプリケーションでは、本願発明はチップカードモジュールのように、簡単な挿入によって作られるディスプレイを備えるモジュールである点で有利である。
モジュールは他の表面上に露出し、目に見えるコンポーネントを含んでいなくてもよい。
【図１】
2013528299.tif 000003
【図２】
2013528299.tif 000004
【国際調査報告】
2013528299.tif 000005
2013528299.tif 000006
2013528299.tif 000007
2013528299.tif 000008